【事件の表示】
　特願２００２−１９０６８０「表示システム、並びにそれに用いる表示装置および制御装置」拒絶査定不服審判事件〔平成１６年　２月　５日出願公開、特開２００４−　３７５４２〕について、次のとおり審決する。
【結　論】
　本件審判の請求は、成り立たない。
【理　由】
第１　手続の経緯・本願発明 
　本願は、平成１４年６月２８日の特許出願であって、平成１８年８月１５日付け（発送日：同年８月２２日）で拒絶査定がなされ、これに対して、同年９月２１日に拒絶査定に対する審判請求がなされたものであり、その請求項１ないし８に係る発明は、平成１８年７月２４日付け手続補正書により補正された明細書及び図面の記載からみて、その特許請求の範囲の請求項１ないし８に記載された事項により特定されるとおりのものと認められるところ、その請求項１に係る発明（以下、「本願発明」という。）は次のとおりのものである。
　
　「【請求項１】　画像を表示する表示装置と、該表示装置の動作状態を制御する制御装置と、を備えた表示システムであって、
　前記表示装置は、該表示装置の機種に対応した、前記動作状態についての設定項目と、その設定項目について設定を行う際に用いる設定操作手段の種類と、を含む設定基本情報を記憶する記憶部を備えると共に、
　前記制御装置は、前記表示装置から、前記記憶部に記憶された前記設定基本情報を取得して、該設定基本情報に基づいて、前記設定項目と、前記種類に対応する設定操作手段と、を表示する設定画面をグラフィカルユーザインタフェースとして生成する第１の制御部を備える表示システム。」
　
第２　引用刊行物に記載された発明
　原査定の拒絶の理由に引用され、本願の出願前に頒布された刊行物である特開２００１−１２５５５１号公報（以下、「引用刊行物」という。）には、図面とともに以下の事項が記載されている。
　１　「【００１８】本発明は、例えば図１に示すように構成された投射表示システム１に適用される。
【００１９】この投射表示システム１は、プロジェクタ２と、プロジェクタ２を制御する制御装置３とがＵＳＢ（Universal Serial Bus）ケーブル５で接続されて双方向のパケット送受信が可能とされ制御装置３がプロジェクタ２を制御するとともに、リモートコントローラ４からのＵＳＢマウス信号に応じて表示制御を行う。また、この投射表示システム１では、制御装置３とプロジェクタ２とがＲＧＢ（RED、GREEN、BLUE）ケーブル６で接続されることで制御装置３からプロジェクタ２に表示データを供給して、表示スクリーンＳ上に光を投射して画像を表示する。
　
　２　「【００２２】制御装置３は、例えばパーソナルコンピュータからなり、内部に備えた記録媒体に記録されたプロジェクタ制御プログラム（プログラム名：PROJECTOR STATION Lite）に従って動作することでプロジェクタ制御信号を生成し、プロジェクタ２を制御する。」
　
　３　「【００３２】制御装置３は、ＵＳＢケーブル５と接続されるシリーズＡコネクタ３２、制御部３３、操作入力部３４、表示部３５、ＲＧＢケーブル６と接続されるＲＧＢコネクタ３６を含んで構成される。」
　
　４　「【００３７】プロジェクタ２は、上述したようにハブ１１を備え、制御装置３からのプロジェクタ制御信号、ポインタ制御信号を受信するシリーズＢコネクタ１２、ＵＳＢデバイスと接続されるシリーズＡコネクタ１３を備える。また、このプロジェクタ２は、リモートコントローラ４からの赤外線光Ｌを受信する赤外線受光部１４、信号変換処理部１５、ＵＳＢマウス処理部１６を備える。更に、このプロジェクタ２は、ハブ１１と接続されたＵＳＢプロジェクタ処理部１７、図示しない光学系等を動作させて表示スクリーンＳに光を投射する投射表示部１８、投射表示部１８で表示する表示内容を制御する表示制御部１９を備える。」
　
　５　「【００５５】このように構成された投射表示システム１において、制御装置３とプロジェクタ２とが接続されると、制御装置３は、プロジェクタ２を、ハブ１１、ハブ１１に接続されたＵＳＢマウスファンクション、ＵＳＢプロジェクタファンクションの３つのＵＳＢデバイスとして認識する。このとき、制御装置３の制御部３３は、プロジェクタ制御プログラムを実行することで接続されているプロジェクタ２を検索する。これに応じ、プロジェクタ２のＵＳＢプロジェクタ処理部１７では、プロジェクタ２のプロジェクタ機種名、シリアル番号、設定可能な機能等を含む情報を表示制御部１９から取得し、これらの情報を含むパケットを生成して制御装置３側に送信する。これにより、制御部３３は、プロジェクタ制御プログラムで制御するプロジェクタ２を認識する。また、プロジェクタ２は、投射表示部１８で画像を表示するときの画質調整機能、ステータス等の情報を表示制御部１９で生成し、ＵＳＢプロジェクタ処理部１７でパケットに含めて制御装置３側に送信する。
【００５６】上述した投射表示システム１で表示スクリーンＳに画像を表示するとき、制御装置３の制御部３３は、操作入力部３４からの操作入力信号又はＵＳＢマウス信号に応じてプロジェクタ制御プログラムを実行することで、図５に示すようなプロジェクタ制御画面を表示部３５に表示させる。」
　
　６　「【００５７】図５によれば、制御部３３は、プロジェクタ制御画面として、画面左上に表示したタブで区別された動作制御画面（GENERAL）、画質設定画面（PICTURE CONTROL）を表示する。
【００５８】制御部３３は、動作制御画面として、プロジェクタ２の電源のオン／オフを切り換えるための電源ボタン表示６１ａ、６１ｂ、表示データを生成するアプリケーションプログラムを切り換えるためのファンクションボタン表示６２、６３、制御装置３からプロジェクタ２に入力する表示データの種類を切り換えるための入力切換ボタン表示６４、画像表示を開始／停止するための画像オン／オフボタン表示６５ａ、６５ｂ、音響の出力を開始／停止するための音響オン／オフボタン表示６６ａ、６６ｂ、ＡＰＡボタン表示６７、画質調整を行う対象となっている機器名を示すプロジェクタ選択表示（Model Select）６８、プロジェクタ２と制御装置３との間でパケットが送受信されていることを示すパケット送受信表示（Send、Receive）６９、画面終了表示（Close）７０を表示する。」
　
　７　「【００６０】制御部３３は、例えば操作入力部３４に含まれるポインティングデバイスを操作することで、表示部３５に表示された各種ボタン表示６１〜７０を選択した旨のＵＳＢマウス信号が入力されたことに応じて、プロジェクタ２を制御するためのプロジェクタ制御信号又は表示スクリーンＳ上に画像を表示する表示データをＵＳＢケーブル５又はＲＧＢケーブル６を介してプロジェクタ２に送信する。
【００６１】また、この制御部３３は、リモートコントローラ４を操作することで、表示スクリーンＳ上に表示された各種ボタン表示６１〜７０を選択した旨を示すＵＳＢマウス信号を含んだパケットをプロジェクタ２から入力したことに応じて、プロジェクタ２を制御するためのプロジェクタ制御信号を生成してシリーズＡコネクタ３２を介してプロジェクタ２に送信する処理又は表示スクリーンＳ上に画像を表示する表示データをＲＧＢケーブル６を介して出力する処理を行う。
【００６２】これに応じ、プロジェクタ２の表示制御部１９は、制御装置３からのプロジェクタ制御信号をＵＳＢマウス処理部１６から入力するとともに又は表示データを入力し、プロジェクタ制御信号に応じて投射表示部１８を制御することで電源のオン／オフ等の制御を行うとともに、表示データを投射表示部１８に出力して投射表示部１８の光学系を駆動して表示スクリーンＳ上に画像を表示させる。」
　
　８　「【００６３】制御部３３は、画質設定画面（PICTURE CONTROL）のタブが選択された旨の操作入力信号又はＵＳＢマウス信号が入力されたときには、図６に示す画質設定画面を表示部３５又は表示スクリーンＳ上に表示する。このとき、制御部３３は、プロジェクタ２の表示制御部１９に画質設定可能な項目を要求するプロジェクタ制御信号を出力したことに応じて入力したパケットに含まれる情報にしたがって画質設定画面を表示する。
【００６４】この図６によれば、制御部３３は、画質設定画面として、コントラストを調整するためのコントラスト調整表示（CONTRAST）７１、ブライトネスを調整するためのブライトネス調整表示（BRIGHTNESS）７２、色合いを調整するための色調整表示（COLOR）７３、色相を調整するための色相調整表示（ＨＵＥ）７４、シャープネスを調整するためのシャープネス調整表示（SHARPNESS）７５、画質設定を自動的に行うための自動調整表示（Default）７６を表示する。更に、制御部３３は、表示領域を調整するためのボリューム表示（VOLUME）７７、例えばAUTO（自動制御）、ＮＴＳＣ（National Television System Committee）画像、ＰＡＬ（Phase Alternation by Line ）画像等の色表示を切り換えるカラーシステム表示７８、黒色についての画像品質を切り換えるピクチャ切換表示（direct picture）７９、色温度表示（COLOR TEMP）８０、プロジェクタ選択表示（Model Select）８１、パケット送受信表示（Send、Receive）８２、設定終了表示８３、表示データの形式（GRAPHICS、TEXT）を選択するためのデータ形式表示（GAMMAMODE）８４、ＲＧＢエンハンサーに関する調整を行うためのＲＧＢエンハンサー調整表示（RGB ENHANCER）８５を表示する。」
　
　９　「【００６６】制御部３３は、例えば操作入力部３４又はリモートコントローラ４が操作されて表示された各種表示７１〜８５を選択した旨の操作入力信号又はＵＳＢマウス信号が入力されたことに応じて、表示スクリーンＳ上に表示されている画像の画質を調整するためのプロジェクタ制御信号を含むパケットを生成してシリーズＡコネクタ３２を介してプロジェクタ２に送信する。」
　
　１０　「【００６８】更に、制御部３３は、プロジェクタ２のシリーズＡコネクタ１３に更に他のプロジェクタが接続されている場合、すなわち、制御装置３に２つのプロジェクタが接続されているときには図７に示すような画質設定画面９０、９１を表示する。このとき、制御部３３は、各プロジェクタの設定状態、設定可能項目に応じて画質設定表示が可能か否かを判定して画質設定画面を表示する。
【００６９】すなわち、制御部３３は、プロジェクタ機種名、シリアル番号、設定可能な機能等を含む情報を表示制御部１９から取得することで、例えば画質表示画面９０のプロジェクタ選択表示８１をVPL-PX30 (S/N:9999999)とし、画質表示画面９１のプロジェクタ選択表示８１をVPL-CS1 (S/N:0000122)とする。
【００７０】制御部３３は、例えば第１のプロジェクタがブライトネス調整機能、色調整機能、色相調整機能、シャープネス調整機能を備えていないときには、ブライトネス調整表示７２、色調整表示７３、色相調整表示７４、シャープネス調整表示７５を無効化して画質設定画面９０を表示する。
【００７１】また、制御部３３は、第２のプロジェクタがブライトネス調整機能、色調整機能、色相調整機能、シャープネス調整機能、ＲＧＢエンハンサーを備えていないときには、ブライトネス調整表示７２、色調整表示７３、色相調整表示７４、シャープネス調整表示７５を無効化するとともに、ＲＧＢエンハンサー調整表示８５を非表示とした画質設定画面９１を表示する。」
　
　１１　図面の図６及び図７から、画質設定画面において、CONTRAST、BRIGHTNESS、COLOR等の画質設定可能な項目が表示されるとともに、各項目についてそれぞれ設定を行うためのスライダ等の操作手段が表示されることが見て取れる。
　
　・上記摘記事項１、５及び８から、プロジェクタ２と、プロジェクタ２の画質を制御する制御装置３とを備えた投射表示システム１が読み取れる。
　・上記摘記事項４から、プロジェクタ２は表示制御部１９を備えることが読み取れる。
　・上記摘記事項８の「制御部３３は、プロジェクタ２の表示制御部１９に画質設定可能な項目を要求するプロジェクタ制御信号を出力したことに応じて入力したパケットに含まれる情報にしたがって画質設定画面を表示する。」との記載から、プロジェクタ２の表示制御部１９は画質設定可能な項目を含む情報を記憶していること、また、制御部３３は表示制御部１９に記憶された画質設定可能な項目を含む情報を取得して、該情報に基づいて画質設定画面を表示することが読み取れる。
　また、画質設定可能な項目は、通常、プロジェクタ２の機種に対応するものであり、そのことは、上記摘記事項１０に上記項目がプロジェクタによって異なることが示されていることからも裏付けられることである。
　・上記摘記事項８及び１１から、画質設定画面には、CONTRAST、BRIGHTNESS、COLOR等の画質設定可能な項目が表示されるとともに、各項目についてそれぞれ設定を行うためのスライダ等の操作手段が表示されることが読み取れる。
　また、上記摘記事項９も併せて勘案すると、上記スライダ等の操作手段はユーザにより操作されるものであるから、上記画質設定画面は、グラフィカルユーザインタフェースとして生成されたものであることが読み取れる。
　
　以上のことから、引用刊行物には、次の発明（以下、「引用発明」という。）が記載されているものと認められる。
　「プロジェクタ２と、該プロジェクタ２の画質を制御する制御装置３と、を備えた投射表示システム１であって、
　前記プロジェクタ２は、該プロジェクタ２の機種に対応した、画質設定可能な項目を含む情報を記憶する表示制御部１９を備えると共に、
　前記制御装置３は、前記プロジェクタ２から、前記表示制御部１９に記憶された前記画質設定可能な項目を含む情報を取得して、該情報に基づいて、CONTRAST、BRIGHTNESS、COLOR等の画質設定可能な項目と、各項目についてそれぞれ設定を行うためのスライダ等の操作手段と、を表示する画質設定画面をグラフィカルユーザインタフェースとして生成する制御部３３を備える投射表示システム１。」
　
第３　対比・判断　　
　１　本願発明と引用発明との対比
　（１）引用発明の「プロジェクタ２」、「画質」、「制御装置３」、「投射表示システム１」、「画質設定可能な項目」、「操作手段」、「表示制御部１９」、「制御部３３」は、それぞれ、本願発明の「表示装置」、「動作状態」、「制御装置」、「表示システム」、「動作状態についての設定項目」、「設定操作手段」、「記憶部」、「第１の制御部」に相当する。
　（２）引用発明の「情報」は、「プロジェクタ２の機種に対応した、画質設定可能な項目を含む情報」であるから、本願発明の「設定基本情報」と同様に、設定基本情報であるということができるものである。
　
　したがって、本願発明と引用発明とは、次の一致点で一致し、次の相違点で相違する。
　一致点　「画像を表示する表示装置と、該表示装置の動作状態を制御する制御装置と、を備えた表示システムであって、
　前記表示装置は、該表示装置の機種に対応した、前記動作状態についての設定項目を含む設定基本情報を記憶する記憶部を備えると共に、
　前記制御装置は、前記表示装置から、前記記憶部に記憶された前記設定基本情報を取得して、該設定基本情報に基づいて、前記設定項目と、その設定項目について設定を行う際に用いる設定操作手段と、を表示する設定画面をグラフィカルユーザインタフェースとして生成する第１の制御部を備える表示システム。」
　
　相違点　設定基本情報が、本願発明においては、設定項目に加えて、その設定項目について設定を行う際に用いる設定操作手段の種類も含むのに対して、引用発明では、この点が明らかではなく、それに伴い、本願発明では、記憶部が、設定項目に加えて、その設定項目について設定を行う際に用いる設定操作手段の種類も含む設定基本情報を記憶し、第１の制御部が、該設定基本情報を取得して、該設定基本情報に基づいて、設定項目と前記種類に対応する設定操作手段を表示する設定画面をグラフィカルユーザインタフェースとして生成するのに対し、引用発明では、表示制御部１９が、画質設定可能な項目に加えて、その項目について設定を行う際に用いる操作手段の種類も含む情報を記憶するのか否か明らかではなく、また、制御部３３が、表示制御部１９から操作手段の種類も取得して、これに基づいて前記種類に対応する操作手段を表示する設定画面を生成するのか否かも明らかではない点。
　
　２　判断
　上記相違点について検討する。
　一般に、被制御装置を制御装置により制御するシステムにおいて、良好な操作環境を得るために、被制御装置を制御するための項目とその項目について設定を行う際に用いる操作手段の種類とを被制御装置に記憶させ、制御装置が上記項目及び操作手段の種類を取得して、それに基づいて、上記項目及び操作手段を表示する操作画面をグラフィカルユーザインタフェースとして生成することは、例えば、特開２０００−３３３２６９号公報、特開平１１−３１７９８９号公報、特開平７−４４４７４号公報に示されるように本願出願前周知技術である。
（この点について、上記特開２０００−３３３２６９号公報については、特に、「【請求項１】・・・前記ＧＵＩ駆動型ネットワーク制御システムが、ユーザーインターフェースを有するコントローラと、制御対象であるデバイスと、を具備し、前記デバイスは、前記デバイスの操作画面を構成するＧＵＩ部品を有し、前記ＧＵＩ部品は、自身の機能を示すアプリケーション情報を有し、前記コントローラは、前記デバイスから前記ＧＵＩ部品を読み込み、前記アプリケーション情報を用いて、前記デバイスの操作画面を作成表示すること」、「【００４６】機能情報８は、このデバイスの操作画面を構成するための情報の一覧である。この機能情報８中には、デバイスの操作に必要なブジェクト、このオブジェクトを識別するための識別子、例えばＩＤ、等が含まれる。そして、機能情報８の情報は、伝送路１上のコントローラからの要求に応じて、デバイス非同期データ処理手段６、非同期データ送受信手段５等を経て、コントローラに転送される。」、「【００６６】まず、図１に示したパネル５１について説明すると、これは、デバイスの機能を示す表示部品５２の集合であるメニューを示すものであり、パネルリストで構成される。このパネルリストは機能情報８内部に複数存在することが可能である。デバイスを操作する際に最初にコントローラへ表示すべきパネルをルートパネルと呼び、その他のパネルは、ルートパネルからリンクをたどることにより見いだされる。ルートパネルリストは、コントローラからデバイスの使用権を要求されたときに、その応答として、デバイスからコントローラへルートパネルリストのＩＤが送信され、このＩＤを用いて、コントローラがパネルリストを読み込むことが可能である。【００６７】パネルは、任意の表示画面を示すことが可能であり、例えば、操作メニューや設定メニュー、デバイスの状態を通知するための状態表示メニュー、ＯＳＤ（OnScreen Display）等があり、一つのパネルに、これらの用途の内いくつかを含んでいても良い。」、「【００７１】表示部品５２についてさらに具体的に説明すると、これは、アイコン、ボタン、スライダ、チェックボックス、テキストエントリ等を表示するための部品であり、この表示部品リスト中に、表示部品５２のタイプ、各々の表示部品５２に必要な情報、例えば、スライダの場合には可変範囲、ステップ値、初期値等、等の独自情報を有する。さらに、表示部品５２は、アプリケーション情報を有する。」という記載を参照。　
　上記特開平１１−３１７９８９号公報については、特に、「【請求項４】  ネットワークを構成するネットワーク装置であって、自身が備えている機能に関する機能情報およびユーザが前記機能情報を選択するために使用する操作画像を作成するための画像情報を記憶する記憶手段と、前記機能情報および前記画像情報を前記ネットワークを介して他のネットワーク装置へ出力する出力手段とを備え」、「【００８７】一方、ネットワーク装置９５１（例えばＶＴＲ）、９５２（例えばＤＶＤ）および９５３（例えば第２ＶＴＲ）は、自身の制御パネルを模したグラフィックスや動作を実現するスクリプト等のオブジェクトを、例えばＩＥＥＥ１３９４の様なネットワーク９６０を介し、受信装置９００の入出力端子９２０に供給する。」、「【００８９】エンジン９０６では、合成器９０４およびインターフェース９０５の出力であるアプリケーションデータを実行し、送信装置８００からのアプリケーションをネットワーク装置９５１，９５２、…からのオブジェクトを交えて表示器の表示画面９０８に表示する。」、「【００９６】・・・画面に表示される画像データ、ボタン２２１１，２２１２の機能、形状データ、などは、対応するネットワーク装置から、ネットワークを介して得たオブジェクトを使うことも可能である。もちろんこの場合は、ネットワーク装置にあらかじめ自分の操作用のオブジェクト（操作するための画像を作成するためのビットマップや、操作するための制御コマンド）をデータとして保持させておき、電源がオンされ、かつネットワークに接続されたときは供給できるように設計される。」、「【００９９】オブジェクトはその所有されている装置の一般的な、また固有の制御情報（機器を制御するための情報）とかつそれらを扱うためのＧＵＩ情報から構成される。受信装置９００が立ち上がっている状態で、ネットワーク装置９５１が立ち上がるとネットワーク装置９５１はあらかじめその内部のオブジェクト記憶部９６２に所有しているオブジェクトを外部インタフェース９６１を通して、例えばＩＥＥＥ１３９４等のネットワークを経由し、受信装置９００のエンジン９０６に送出する。同様にネットワーク装置９５２その内部のオブジェクト記憶部９７２にオブジェクトを所有し、外部インタフェース９７１、ネットワークを通しエンジン９０６に送出する。
【０１００】どちらの場合もエンジン９０６では、認識した各装置のオブジェクトをデコードしてアプリケーションを実行し、必要によりＧＵＩ情報を基に作成したアイコンや操作するための画像を表示画面９０８に表示する。」、「【０１１５】図２８に制御パネルについて一例を示す。制御パネルは装置の制御を行なうためのＧＵＩを提供する。受信装置９００の表示画面９０８には、ストップボタン５０１０，プレイボタン５０１１等が表示され、これらを例えばカーソルにより選択し決定操作を行うことによって、この決定された制御命令を制御パネルの送出元のネットワーク機器に送出することができる。また、スライド式の音声ボリューム５０１２も表示され、この送出元のネットワーク機器の音声の大きさを調整する機能を提供する。」という記載を参照。
　上記特開平７−４４４７４号公報については、特に、「【請求項１】  複数のオブジェクト化された周辺機器を共通の通信回線を介して１つのコントローラで統一的に制御する制御システムであつて、
前記コントローラ及び前記複数の周辺機器はそれぞれ前記通信回線に対して双方向にデータの送受信を行う双方向性インタフエースを有し、
前記各周辺機器には、それぞれその機能の制御に関するオブジエクトデータを予め格納されており、
前記コントローラは前記通信回線を介して前記周辺機器と接続された際、該周辺機器より前記オブジエクトデータをロードして前記周辺機器に対応するオブジエクトを形成するとともに、該オブジエクトデータに基づいて前記周辺機器を操作するための操作画面を前記コントローラ側の制御下にて表示し、
前記コントローラ側における前記操作画面に基づく操作に応じて、前記オブジエクトを介して前記コントローラ側の指令を前記通信回線に出力し、前記周辺機器を制御するように構成されてなるシステム制御装置。」、「【請求項５】  請求項１において、前記オブジェクト化された周辺機器は、自身の操作や表示を、外部コントローラで出来る様に、操作パネル・表示装置等をグラフィカルユーザーインタフェースとして保有し、外部のコントローラにそのグラフィカルユーザーインタフェースを送りだす手段を有してなるシステム制御装置。」、「【００２９】また図示していないがコントローラから制御されるための、自身コントロールパネルやコントロールに関するライブラリーを持っていて、これをコントローラと接続時に送信することにより、マルチメディア機器固有の制御をコントローラ側から実現させる。」、「【００３３】逆に５５の固有クラスライブラリーは、接続されているマルチメディア機器固有のパネル表示やコントロールに関する部品群（オブジェクト群）が格納されている。この固有ライブラリーは先に説明したように、マルチメディア機器がシステムに接続される毎にその機器から送られてきて増加していく。」、「【００４５】システムディレクターオブジェクト２０５はマルチメディア機器代理オブジェクト生成手段１０４７を用いてマルチメディア機器２がＬＡＮ４に接続されるとマルチメディア機器代理オブジェクト記述ファイル１０６１を読み込み、マルチメディア機器代理オブジェクト記述ファイル１０６１に記述された情報から生成すべきオブジェクトの属するクラスを選択し、クラスライブラリー１０８１中、該当するクラスのクラス定義部１０８０に基づきマルチメディア機器代理オブジェクト１０６８を生成する。【００４６】図１２は代理オブジェクト記述ファイルのコントロールパネル記述部の構成を示した図である。図１２において２４７はコントロールパネルオブジェクト記述部であり、第１オブジェクト記述情報２４８から第ｉオブジェクト記述部２４９までのｉ個のオブジェクト記述情報より構成されている。１つのオブジェクト記述情報はオブジェクト認識情報２５０、オブジェクト描画情報２５４、オブジェクトリンク情報２６０から構成される。【００４７】オブジェクト認識情報２５０はオブジェクトが所属するクラスを示すクラス名２５１、第ｉオブジェクト固有のＩＤであるオブジェクトＩＤ２５２、第ｉオブジェクトが直属するオブジェクトのＩＤを示す所属オブジェクトＩＤ２５３から構成される。【００４８】オブジェクト描画情報２５４は、コントロールパネル表示画面２３１を構成するボタン等のオブジェクトの描画を行うための情報であり」、「【００５９】次にシステムディレクターオブジェクト２０５はマルチメディア機器代理オブジェクト生成手段１０４７を用いてデジタルＶＴＲ２０３よりデジタルＶＴＲ代理オブジェクト記述ファイル２１０をロードする（６３９）。次にシステムディレクターオブジェクト２０５はマルチメディア機器代理オブジェクト生成手段１０４７を用いてデジタルＶＴＲ代理オブジェクト記述ファイル２１０に基づきデジタルＶＴＲ代理オブジェクト２２０をマルチメディアコントローラ１中に生成���る（６４０）。その結果図１８で示した接続状態になる。次にデジタルＶＴＲ代理オブジェクト２２０はマルチメディアコントローラ１のディスプレー２２８にデジタルＶＴＲ２０３のアイコン表示２２９を表示する（６４１）。その後利用者の指示を待つ（６４２）。【００６０】以後、操作者は、マルチメデイアコントローラのデジタルＶＴＲコントロールパネルオブジエクト２２１に基づいて表示された操作画面に基づいてデジタルＶＴＲを操作することにより、マルチメデイアコントローラ１内のデジタルＶＴＲ代理オブジエクト２２０を介してデジタルＶＴＲを制御することができる。」、「【００６２】・・・図２０はデジタルＶＴＲコントロールパネルオブジェクト２２１が描画するデフォルトの表示画面であり、同図において２３２はデイスプレー上に表示されるコントロールパネルの表示選択メニュー、２６５はテープの経過時間を表示するタイムカウンター表示、２６６はデジタルＶＴＲ２０３の制御モードを選択するコントロールモード選択部２６７はデフォルトの制御モードに設定するための第１のスイッチボタン表示、２６８はより詳細な制御モードを選択するための第２のスイッチボタン表示、２６９は巻き戻しボタン表示、２７０は逆転再生ボタン表示、２７１は一時停止ボタン表示、２７２は再生ボタン表示、２７３は早送りボタン表示、２７４は停止ボタン表示、２７５は録画ボタン表示である。」という記載を参照。）
　
　したがって、該周知技術を引用発明に適用して、画質設定可能な項目に加えて、その項目について設定を行う際に用いる操作手段の種類も含む情報を表示制御部１９に記憶させて、上記相違点に係る本願発明のごとく構成することは当業者が容易に想到し得たことである。
　
　そして、本願発明の奏する効果は、引用発明及び周知技術から当業者が予測し得る範囲内のものであり、格別のものではない。
　よって、本願発明は、引用発明及び周知技術に基づいて当業者が容易に発明をすることができたものである。
　
第４　むすび
　以上のとおりであるから、本願発明は、特許法第２９条第２項の規定により特許を受けることができないものである。
　そして、本願発明（請求項１に係る発明）が特許を受けることができないものであるから、その余の請求項２ないし８に係る発明について検討するまでもなく、本願は、拒絶すべきものである。
　よって、結論のとおり審決する。